(57)【要約】      （修正有）【課題】煩鎖で数多くの工程を経ることなく構成でき且つガス封止部を格段に減じてなる支持膜式固体酸化物形燃料電池のスタック及び支持膜式固体酸化物形燃料電池モジュールを得る。【解決手段】セル全体を１枚の合金箔板１８，２０を折曲げて包み込んでなる支持膜式固体酸化物形燃料電池スタックであって、該合金箔板が折曲部１７両側の箔板部のうち、一方の箔板部に、その長手方向の両端に燃料流通用開口１９を備え、他方の箔板部に、その中央部に空気極用の開口２１と、その長手方向の両端に燃料流通用開口１９と備え、一方の箔板部の中央部に支持膜式単セル１０を空気極を上にして配置するとともに、該燃料流通用開口部１９にスペーサ８を介在させて配置した後、折曲部両側の箔板部を折曲部と相対する端部で接合してなることを特徴とする支持膜式固体酸化物形燃料電池スタック、及び、支持膜式固体酸化物形燃料電池モジュール。【選択図】図８
2004319291.tif 000002
【特許請求の範囲】
【請求項１】
支持膜式固体酸化物形燃料電池スタック構成用の構造体であって、セル全体を、一方の電極及びガスの導入及び導出用の孔を備えた合金箔板で包み込んでなることを特徴とする支持膜式固体酸化物形燃料電池スタック構成用構造体。
【請求項２】
前記合金箔板が短冊状の箔板であることを特徴とする請求項１に記載の支持膜式固体酸化物形燃料電池スタック構成用構造体。
【請求項３】
前記合金箔板の構成材料が耐熱性合金であることを特徴とする請求項１に記載の支持膜式固体酸化物形燃料電池スタック構成用構造体。
【請求項４】
支持膜式固体酸化物形燃料電池スタックであって、セル全体を一方の電極及びガスの導入及び導出用の孔を備えた合金箔板で包み込んでなる支持膜式固体酸化物形燃料電池スタック構成用構造体の複数個を、ガス流通及び電気的接続を行うインターコネクタを介して積層してなることを特徴とする支持膜式固体酸化物形燃料電池スタック。
【請求項５】
セル全体を第１及び第２の２枚の合金箔板で包んでなる支持膜式固体酸化物形燃料電池スタックであって、第１の合金箔板が、長手方向の両端に燃料流通用開口と、その長手方向に対する左右両端に第２の合金箔板との接合部を備え、第２の合金箔板が、その中央部に空気極用の開口と、その長手方向の両端に燃料流通用開口と、その長手方向に対する左右両端に第２の合金箔板との接合部を備え、第１の合金箔板の中央部に支持膜式単セルを空気極を上にして配置した後、第２の合金箔板をその燃料流通用開口部にスペーサを介在させて配置し、第１の合金箔板及び第２の合金箔板の左右両端を接合してなることを特徴とする支持膜式固体酸化物形燃料電池スタック。
【請求項６】
セル全体を１枚の合金箔板を折曲げて包み込んでなる支持膜式固体酸化物形燃料電池スタックであって、該合金箔板が折曲部両側の箔板部のうち、一方の箔板部に、その長手方向の両端に燃料流通用開口を備え、他方の箔板部に、その中央部に空気極用の開口と、その長手方向の両端に燃料流通用開口とを備え、一方の箔板部の中央部に支持膜式単セルを空気極を上にして配置するとともに、該燃料流通用開口部にスペーサを介在させて配置した後、折曲部両側の箔板部を折曲部と相対する端部で接合してなることを特徴とする支持膜式固体酸化物形燃料電池スタック。
【請求項７】
前記合金箔板が短冊状の箔板であることを特徴とする請求項４〜６のいずれか１項に記載の支持膜式固体酸化物形燃料電池スタック。
【請求項８】
前記合金箔板の構成材料が耐熱性合金であることを特徴とする請求項４〜６のいずれか１項に記載の支持膜式固体酸化物形燃料電池スタック。
【請求項９】
下記構造を有する支持膜式固体酸化物形燃料電池スタックと、その両端に絶縁体部材及び該燃料電池スタックの開口に対応した開口を備え且つその中央部にスタックの単セルの空気極に対応する部位に空気流通用の波状の溝を有するインターコネクタとを、スタック及びインターコネクタの両開口に対応する開口を有する絶縁体部材を介在させて積層してなることを特徴とする支持膜式固体酸化物形燃料電池モジュール。
セル全体を第１及び第２の２枚の合金箔板で包んでなる支持膜式固体酸化物形燃料電池スタックであって、第１の合金箔板が、長手方向の両端に燃料流通用開口と、その長手方向に対する左右両端に第２の合金箔板との接合部を備え、第２の合金箔板が、その中央部に空気極用の開口と、その長手方向の両端に燃料流通用開口と、その長手方向に対する左右両端に第２の合金箔板との接合部を備え、第１の合金箔板の中央部に支持膜式単セルを空気極を上にして配置した後、第２の合金箔板をその燃料流通用開口部にスペーサを介在させて配置し、第１の合金箔板及び第２の合金箔板の左右両端を接合してなる支持膜式固体酸化物形燃料電池スタック。
【請求項１０】
下記構造を有する支持膜式固体酸化物形燃料電池スタックと、その両端に絶縁体部材及び該燃料電池スタックの開口に対応した開口を備え且つその中央部にスタックの単セルの空気極に対応する部位に空気流通用の波状の溝を有するインターコネクタとを、スタック及びインターコネクタの両開口に対応する開口を有する絶縁体部材を介在させて積層してなることを特徴とする支持膜式固体酸化物形燃料電池モジュール。
セル全体を１枚の合金箔板を折曲げて包み込んでなる支持膜式固体酸化物形燃料電池スタックであって、該合金箔板が折曲部両側の箔板部のうち、一方の箔板部に、その長手方向の両端に燃料流通用開口を備え、他方の箔板部に、その中央部に空気極用の開口と、その長手方向の両端に燃料流通用開口と備え、一方の箔板部の中央部に支持膜式単セルを空気極を上にして配置するとともに、該燃料流通用開口部にスペーサを介在させて配置した後、折曲部両側の箔板部を折曲部と相対する端部で接合してなる支持膜式固体酸化物形燃料電池スタック。
【請求項１１】
前記合金箔板が短冊状の箔板であることを特徴とする請求項９〜１０のいずれか１項に記載の支持膜式固体酸化物形燃料電池モジュール。
【請求項１２】
前記合金箔板及びインターコネクタの構成材料が耐熱性合金であることを特徴とする請求項９〜１０のいずれか１項に記載の支持膜式固体酸化物形燃料電池モジュール。
【請求項１３】
セル全体を第１及び第２の２枚の合金箔板で包んでなる支持膜式固体酸化物燃料電池スタックの作製方法であって、第１の合金箔板が、その長手方向の両端に燃料流通用開口と、その長手方向に対する左右両端に第２の合金箔板との接合部を備え、第２の合金箔板が、その中央部に空気極用の開口と、その長手方向の両端に燃料流通用開口と、その長手方向に対する左右両端に第１の合金箔板との接合部を備えてなり、第１の合金箔板の中央部に支持膜式単セルを空気極を上にして配置した後、第２の合金箔板をその燃料流通用開口部にスペーサを介在させて配置し、第１の合金箔板及び第２の合金箔板の左右両端を接合することを特徴とする支持膜式固体酸化物形燃料電池スタックの作製方法。
【請求項１４】
セル全体を１枚の合金箔板を折曲げて包み込んでなる支持膜式固体酸化物形燃料電池スタックの作製方法であって、該合金箔板が折曲部両側の箔板部のうち、一方の箔板部に、その長手方向の両端に燃料流通用開口を備え、他方の箔板部に、その中央部に空気極用の開口と、その長手方向の両端に燃料流通用開口とを備え、一方の箔板部の中央部に支持膜式単セルを空気極を上にして配置するとともに、該燃料流通用開口部にスペーサを介在させて配置した後、折曲部両側の箔板部を折曲部と相対する端部で接合することを特徴とする支持膜式固体酸化物形燃料電池スタックの作製方法。
【請求項１５】
前記合金箔板が短冊状の箔板であることを特徴とする請求項１３〜１４のいずれか１項に記載の支持膜式固体酸化物形燃料電池スタックの作製方法。
【請求項１６】
前記合金箔板の構成材料が耐熱性合金であることを特徴とする請求項１３〜１４のいずれか１項に記載の支持膜式固体酸化物形燃料電池スタックの作製方法。
【発明の詳細な説明】
【０００１】
【発明の属する技術分野】
本発明は、作動温度が６５０〜８００℃の範囲である支持膜式固体酸化物形燃料電池スタック構成用構造体、支持膜式固体酸化物形燃料電池スタック、その作製方法及び該スタックを用いた支持膜式固体酸化物形燃料電池モジュールに関する。
【０００２】
【従来の技術】
固体酸化物形燃料電池〔ＳＯＦＣ（＝Ｓｏｌｉｄ  Ｏｘｉｄｅ  Ｆｕｅｌ  Ｃｅｌｌ）：以下適宜ＳＯＦＣと略称する〕は、ＳＯＦＣの単電池すなわち単セル（本明細書中「セル」とも言う）は固体酸化物電解質を挟んで燃料極及び空気極（酸化剤として酸素が用いられる場合は酸素極）が配置され、燃料極／電解質（固体酸化物電解質）／空気極の３層ユニットで構成される。
【０００３】
空気極に導入される空気中の酸素は空気極で酸化物イオン（Ｏ２−）となり、固体酸化物電解質を通って燃料極に至る。ここで、燃料極に導入される燃料と反応して電子を放出し、電気と水、二酸化炭素等の反応生成物を生成する。空気極での利用済み空気は空気極オフガスとして排出され、燃料極での利用済み燃料は燃料極オフガスとして排出される。単セル１個の電圧は低いため、通常、単セルを複数層直列に積層して構成される。
【０００４】
従来のＳＯＦＣはその作動温度が８００〜１０００℃程度と高いが、最近では８００℃程度以下、例えば７５０℃程度の温度で作動するＳＯＦＣも開発されつつある。本発明者らは、このような低温作動のＳＯＦＣに特に注目し開発を進めており、これまで幾つかの成果を得ている（特開２００２−３４３３７６、特開２００２−３６７６１５、特願２００２−２８８４７等）。
【０００５】
図１〜３は上記低温作動のＳＯＦＣの態様例を説明する図である。図１は単電池（セル）の構成例、図２はセルを組み込んだＳＯＦＣスタックの構成例、図３は図２中Ｘ−Ｘ線断面図である。図２ではスタック構成部材の位置関係等を示すため各構成部材間に間隔を置いた斜視図として示している。図１のとおり、単セルは、燃料極の上に電解質膜（＝固体酸化物電解質膜）が配置され、電解質膜の上に空気極が配置されて構成され、このセルが図２〜３のように組み込まれてＳＯＦＣスタックが構成される。
【０００６】
電解質膜として、例えばジルコニア系やＬａＧａＯ３系などの固体酸化物電解質材料を用いて、これを膜厚の厚い燃料極で支持するように構成されており、支持膜式と称される。支持膜式ＳＯＦＣにおいては、電解質膜の膜厚を薄く構成でき、その膜厚が１０μｍ程度となり、８００℃以下の低温で運転できる。このため、その構成材料として例えばステンレス鋼などの安価な材料の使用を可能とし、また小型化が可能であるなど各種利点を有する。
【０００７】
図２〜３のとおり、支持膜式ＳＯＦＣスタックは、上部から下部へ順次セパレータＡ、セパレータＢ、セパレータＣ、接合材、単電池（セル）、セパレータＤが配置される。セパレータＡの上部、セパレータＤの下部には集電板等が配置されるが、図示は省略している。また、セパレータＡ〜Ｄは金属（合金を含む）で構成される。
【０００８】
【発明が解決しようとする課題】
ところで、上記のような低温作動の支持膜式ＳＯＦＣにおいても、単セルを積層する必要があり、金属製のセルサポートフォイル（図２〜３中セパレータＣ）に接合し、それをマニホールド（図２〜３中セパレータＢ、Ｄ）に納まるように配置、接合したものをユニットとし、これを金属製のセパレータ板を介して次のユニットに接合することにより、スタックすなわち積層体が形成される。
【０００９】
加えて、スタックを流通する燃料、空気、燃料極オフガス、空気極オフガスはすべて気体であることから、図３のとおり、ガス封止をしその封止性を高めるために各部材間にはシール材（図３中シール材による接合箇所）を挟み込む必要があるなどスタックを構成するには煩鎖で数多くの工程を必要とする。
【００１０】
本発明は、従来におけるような、煩鎖で数多くの工程を経ることなく構成でき、且つ、ガス封止部を格段に減じてなる支持膜式固体酸化物形燃料電池スタック構成用構造体、支持膜式固体酸化物形燃料電池スタック、その作製方法及び該スタックを用いた支持膜式固体酸化物形燃料電池モジュールを提供することを目的とするものである。
【００１１】
【課題を解決するための手段】
本発明は、（Ａ）支持膜式固体酸化物形燃料電池スタック構成用の構造体であって、セル全体を、一方の電極及びガスの導入及び導出用の孔を備えた合金箔板で包み込んでなることを特徴とする支持膜式固体酸化物形燃料電池スタック構成用構造体を提供する。
【００１２】
本発明は、（Ｂ）支持膜式固体酸化物形燃料電池スタックであって、セル全体を電極及びガスの導入及び導出用の孔を備えた合金箔板で包み込んでなる支持膜式固体酸化物形燃料電池スタック構成用構造体の複数個を、ガス流通及び電気的接続を行うインターコネクタを介して積層してなることを特徴とする支持膜式固体酸化物形燃料電池スタックを提供する。
【００１３】
本発明は、（Ｃ）セル全体を第１及び第２の２枚の合金箔板で包んでなる支持膜式固体酸化物形燃料電池スタックであって、第１の合金箔板が、長手方向の両端に燃料流通用開口と、その長手方向に対する左右両端に第２の合金箔板との接合部を備え、第２の合金箔板が、その中央部に空気極用の開口と、その長手方向の両端に燃料流通用開口と、その長手方向に対する左右両端に第２の合金箔板との接合部を備え、第１の合金箔板の中央部に支持膜式単セルを空気極を上にして配置した後、第２の合金箔板をその燃料流通用開口部にスペーサを介在させて配置し、第１の合金箔板及び第２の合金箔板の左右両端を接合してなることを特徴とする支持膜式固体酸化物形燃料電池スタック及びその作製方法を提供する。
【００１４】
本発明は、（Ｄ）前記（Ｃ）の構造を有する支持膜式固体酸化物形燃料電池スタックと、その両端に絶縁体部材及び該燃料電池スタックの開口に対応した開口を備え且つその中央部にスタックの単セルの空気極に対応する部位に空気流通用の波状の溝を有するインターコネクタとを、スタック及びインターコネクタの両開口に対応する開口を有する絶縁体部材を介在させて積層してなることを特徴とする支持膜式固体酸化物形燃料電池モジュールを提供する。
【００１５】
本発明は、（Ｅ）セル全体を１枚の合金箔板を折曲げて包み込んでなる支持膜式固体酸化物形燃料電池スタックであって、該合金箔板が折曲部両側の箔板部のうち、一方の箔板部に、その長手方向の両端に燃料流通用開口を備え、他方の箔板部に、その中央部に空気極用の開口と、その長手方向の両端に燃料流通用開口とを備え、一方の箔板部の中央部に支持膜式単セルを空気極を上にして配置するとともに、該燃料流通用開口部にスペーサを介在させて配置した後、折曲部両側の箔板部を折曲部と相対する端部で接合してなることを特徴とする支持膜式固体酸化物形燃料電池スタック及びその作製方法を提供する。
【００１６】
本発明は、（Ｆ）前記（Ｅ）の構造を有する支持膜式固体酸化物形燃料電池スタックと、その両端に絶縁体部材及び該燃料電池スタックの開口に対応した開口を備え且つその中央部にスタックの単セルの空気極に対応する部位に空気流通用の波状の溝を有するインターコネクタとを、スタック及びインターコネクタの両開口に対応する開口を有する絶縁体部材を介在させて積層してなることを特徴とする支持膜式固体酸化物形燃料電池モジュールを提供する。
【００１７】
【発明の実施の形態】
本発明（Ａ）は、支持膜式ＳＯＦＣスタック構成用の構造体であって、セル全体を、一方の電極及びガスの導入及び導出用の孔を備えた合金箔板で包み込んでなることを特徴とする。ここで合金箔板は、柔軟性のある耐熱性合金の箔板で構成され、セル全体を包み込める形状であればよく、短冊状その他適宜の形状とすることができる。
【００１８】
本発明（Ｂ）は、本発明（Ａ）の支持膜式ＳＯＦＣスタック構成用構造体をスタック化して構成される。すなわち、セル全体を一方の電極及びガスの導入及び導出用の孔を備えた合金箔板で包み込んでなる支持膜式ＳＯＦＣスタック用構造体の複数個を、ガス流通用のインターコネクタを介在させて積層して構成される。ここで合金箔板は、柔軟性のある耐熱性合金の箔板で構成され、セル全体を包み込める形状であればよく、短冊状その他適宜の形状とすることができる。スタック化に際しては、上下から荷重をかけるが、合金箔板自体柔軟性があるので、スタック全体にかかる応力を緩和することができる。
【００１９】
本発明（Ｃ）は、セル全体を第１及び第２の２枚の合金箔板で包んでなる支持膜式ＳＯＦＣスタックである。第１の合金箔板は、長手方向の両端に燃料流通用開口を設け、その長手方向に対する左右両端に第２の合金箔板との接合部を設けて構成され、第２の合金箔板は、その中央部に空気極用の開口を設け、その長手方向の両端に燃料流通用開口を設け、その長手方向に対する左右両端に第２の合金箔板との接合部を設けて構成される。
【００２０】
そして、第１の合金箔板の中央部に支持膜式単セルを空気極を上にして配置した後、第２の合金箔板をその燃料流通用開口部にスペーサを介在させて配置し、第１の合金箔板及び第２の合金箔板の左右両端を接合して構成される。ここで合金箔板は、柔軟性のある耐熱性合金の箔板で構成され、セル全体を包める形状であればよく、短冊状その他適宜の形状とすることができる。
【００２１】
本発明（Ｄ）の支持膜式ＳＯＦＣモジュールは、前記（Ｃ）の支持膜式ＳＯＦＣスタックと、その両端に絶縁体部材及び該燃料電池スタックの開口に対応した開口を備え且つその中央部にスタックの単セルの空気極に対応する部位に空気流通用の波状の溝を有するインターコネクタとを、スタックの両開口に対応する開口を有する絶縁体部材を介して積層することで構成される。
【００２２】
本発明（Ｅ）は、セル全体を１枚の合金箔板を折曲げて包み込んでなる支持膜式ＳＯＦＣスタックである。該合金箔板は、折曲部両側の箔板部のうち、一方の箔板部に、その長手方向の両端に燃料流通用開口を備え、他方の箔板部に、その中央部に空気極用の開口と、その長手方向の両端に燃料流通用開口とを備え、一方の箔板部の中央部に支持膜式単セルを空気極を上にして配置する。そして、該燃料流通用開口部にスペーサを介在させて配置した後、折曲部両側の箔板部を折曲部と相対する端部で接合して構成される。
【００２３】
本発明（Ｆ）の支持膜式ＳＯＦＣモジュールは、前記（Ｅ）の支持膜式ＳＯＦＣスタックと、その両端に絶縁体部材及び該燃料電池スタックの開口に対応した開口を備え且つその中央部にスタックの単セルの空気極に対応する部位に空気流通用の波状の溝を有するインターコネクタとを、スタックの両開口に対応する開口を有する絶縁体部材を介して積層することで構成される。
【００２４】
本発明におけるスタックを構成する合金箔板及びスペーサの構成材料としてはステンレス鋼等の耐熱性合金が用いられ、接合用の材料としては金属ろうやガラス接合材が用いられるが、好ましくは金属ろうが用いられる。また、スタツクまたはモジュールに供給する燃料としては、炭化水素、都市ガス、ＬＰガス、天然ガス、ガソリン、軽油、灯油、ディーゼル油、アルコール類（メチルアルコール、エチルアルコール等）、ジメチルエーテル（ＤＭＥ）などが用いられる。
【００２５】
【実施例】
以下、実施例に基づき本発明をさらに詳しく説明するが、本発明がこれら実施例に限定されないことはもちろんである。
【００２６】
〈実施例１：本発明（Ｃ）の支持膜式ＳＯＦＣスタックの構成例〉
図４は本発明（Ｃ）の支持膜式ＳＯＦＣスタックの構成部材の例を示す図で、図４（ａ）は第２合金箔板２の例、図４（ｂ）は第１合金箔板１の例である。合金箔板を短冊状の形状に形成した例である。図４（ｂ）のとおり、第１の短冊状合金箔板１は、その長手方向の両端に燃料流通用開口４、４を設けるとともに、その短冊状合金箔板の長手方向に対する左右両端に第２の短冊状合金箔板２との接合部３、３とを設けて構成される。また、図４（ａ）のとおり、第２の短冊状合金箔板２は、その中央部に空気極用の開口（窓）５と長手方向の両端に燃料流通用開口６、６を設けるとともに、その長手方向に対する左右両端に第１の短冊状合金箔板１との接合部７、７を設けて構成される。
【００２７】
ここで、第１の短冊状合金箔板１の接合部３はその端部を折曲げて構成し、第２の短冊状合金箔板２の接合部７、７はその端部を２回折曲げ、第１の短冊状合金箔板１の接合部３、３で係止されるように構成しているが、その形状は、第１の短冊状合金箔板１の接合部３、３と第２の短冊状合金箔板２の接合部７、７とが接合材により接合し得る適宜の形状に構成することができる。接合材としては金属ろうやガラス接合材等が用いられる。
【００２８】
図５は、上記のように構成した第１の短冊状合金箔板１及び第２の短冊状合金箔板２と、支持膜式ＳＯＦＣの単セル１０と、スペーサ８、８を用いて支持膜式ＳＯＦＣスタックを構成する例を示す図である。スペーサ８、８は、第１の短冊状合金箔板１の長手方向の両端に設けられた開口４、４及び第２の短冊状合金箔板２の長手方向の両端に設けられた開口６、６に対応した開口を有し、両短冊状合金箔板と同様の合金部材で構成される。スペーサ８、８には内部に向けてガスが通るように開口部側面に孔９が設けてある。
【００２９】
図５のとおり、まず、第１の短冊状合金箔板１の中央部に単セル１０を載置する。そして、第１の短冊状合金箔板１と第２の短冊状合金箔板２との間で、第１の短冊状合金箔板１の長手方向の両端開口４、４と第２の短冊状合金箔板２の長手方向の両端開口６、６に対応した位置にスペーサ８、８を配置する。その後、第１の短冊状合金箔板１の接合部３、３で第２の短冊状合金箔板２の接合部７、７を係止し、その間を接合材で接合する。図６は接合後の状態、すなわち本発明に係る支持膜式ＳＯＦＣスタック１１を示している。
【００３０】
このように、本発明の支持膜式ＳＯＦＣスタックは、単セルのほか、その構成部材として第１及び第２の合金箔板とスペーサを使用するだけで足り、しかも合金箔板を使用することにより、従来型のスタックに対して合金の使用量を抑えることができる。また、接合部分は、第１の合金箔板１の接合部と第２の合金箔板２の接合部との接合だけであるので、その作製も簡単であり、従来のように煩鎖で数多くの工程を必要としない。また、接合部が両端の２箇所だけであるので、ガスシール性の優れたスタックとすることができる。
【００３１】
〈実施例２：本発明（Ｄ）の支持膜式ＳＯＦＣスタックを用いたモジュールの構成例〉
本実施例は、本発明（Ｃ）の支持膜式ＳＯＦＣスタックを用いた支持膜式ＳＯＦＣモジュールの構成例である。構成部材としては、以上のようにして作製した支持膜式ＳＯＦＣスタック１１と絶縁体部材とインターコネクタを用いる。絶縁体部材はスタックの開口と対応した開口を有し、例えば雲母等の耐熱性材料で構成され、インターコネクタは例えばステンレス鋼等の耐熱性合金で構成される。
【００３２】
図７は本支持膜式ＳＯＦＣモジュールの構成過程を示す図である。図７のとおり、インターコネクタ１３は、その両端に絶縁体部材１２、１２の開口及びスタック１１の開口４（６）、４（６）に対応した開口１４、１４を備え、その中央部に単セル１０の空気極に対応する部位に空気流通及び電気的接続用の波状の溝１５が設けてある。ここで、当該波状溝１５の形状は図示のような形状とは限らず、空気流通機能に加え、後述ばね性等の観点から適宜の形状とすることができる。
【００３３】
支持膜式ＳＯＦＣスタック１１に、その長手方向両端の開口部４（６）、４（６）に対応した開口を有する絶縁体部材１２、１２を載置し、その上にインターコネクタ１３を載置することにより支持膜式ＳＯＦＣモジュールが形成される。図７中矢印（↓）はその載置過程を示すものである。
【００３４】
こうして作製した支持膜式ＳＯＦＣモジュールは上下両面に集電板を配し、ケーシング内に納めて使用される。以上は単セル１個を配置したモジュールであるが、当該モジュールの複数個を積層して複数個の単セルを備えた支持膜式ＳＯＦＣモジュールが構成される。
【００３５】
その際、ガスシールをする必要がある。このためモジュールの両面から荷重をかけるが、セル部分は上下のインターコネクタの波状溝１５のばね構造によって荷重を緩和するので、荷重によるセル破壊が回避される。この場合、波状溝１５を、そのばね性の観点から、それに適応した形状とすることにより、ばね構造の変形の自由度を増加させ、たとえセルに若干の歪みがあっても良好な電気的接続が達成される。
【００３６】
〈実施例３：本発明（Ｅ）の支持膜式ＳＯＦＣスタック及び本発明（Ｆ）の支持膜式ＳＯＦＣモジュールの構成例〉
図８は本実施例を示す図である。図８中図４〜７に記載の部材と同じ部材については同一の符号を用いている。本支持膜式ＳＯＦＣスタックは、１枚の短冊状合金箔板１６を折曲げて単セルを包み込んでなる支持膜式固体酸化物形燃料電池スタックである。図８のとおり、該短冊状合金箔板１６は、折曲部１７の両側の箔板部１８、２０のうち、一方の箔板部１８には、その長手方向の両端に燃料流通用開口１９、１９を設け、他方の箔板部２０には、その中央部に空気極用の開口（窓）２１を設けるとともに、その長手方向の両端に燃料流通用開口２２、２２を設ける。そして、該一方の箔板部の中央部に支持膜式単セル１０を空気極を上にして配置する。
【００３７】
次いで、該燃料流通用開口部１９、１９と２２、２２間にスペーサ８、８を介在させて配置した後、折曲部１７の両側の箔板部１８、２０を折曲部１７と相対する端部２３、２４で当接、接合して構成される。本構成によれば、接合する箇所が短冊状合金箔板の両折曲箔板の折曲部と相対する端部２３、２４だけであるので、その工作上も非常に有利である。図８では、折曲部１７は両側の箔板部１８、２０間に間隔をとるため２度（図８中１７′と１７″の２箇所）折曲げているが、ここは、モジュールの複数個を用いてスタック化する際に、箔板部１８、２０に荷重がかかることになるため、１度（１箇所）の折曲げだけでもよい。また、この時点では、折曲げを軽く行い（すなわち当該部分を湾曲状等にしておき）、モジュール化の際に折曲がるようにしてもよい。
【００３８】
本スタックをモジュールとするのは、前記実施例２と同様にして行うことができる。すなわち、上記のように構成したスタックと、その両端にスタックの開口に対応した開口１４、１４を備え且つその中央部にスタックの単セルの空気極に対応する部位に空気流通及び電気的接続用の波状の溝１５を有するインターコネクタ１３とを、スタックの両開口１９（２２）、１９（２２）に対応する開口を有する絶縁体部材１２、１２を介在させて積層して構成される。図８中矢印（↓）はその載置過程を示すものである。
【００３９】
その際、ガスシールをする必要がある。このためモジュールの両面から荷重をかけるが、セル部分はスタックの上下のインターコネクタの波状溝１５のばね構造によって荷重を緩和するので、荷重によるセル破壊が回避される。この場合、波状溝１５は、そのばね性の観点から、それに適応した形状とすることにより、ばね構造の変形の自由度を増加させ、たとえセルに若干の歪みがあっても良好な電気的接続が達成される。
【００４０】
【発明の効果】
本発明によれば、従来のように煩鎖で数多くの工程を経ることなく構成でき且つガス封止部を格段に減じてなる支持膜式固体酸化物形燃料電池スタック構成用構造体、支持膜式固体酸化物形燃料電池スタック及び該スタックを用いた支持膜式固体酸化物形燃料電池モジュールが得られる。また、それら構造体、スタック及びモジュールを従来のように煩瑣で数多くの工程を経ることなく、しかもガス封止部を格段に減じて構成することができる。
【図面の簡単な説明】
【図１】支持膜式ＳＯＦＣセルの構成例を示す図
【図２】従来の支持膜式ＳＯＦＣスタックの構成例を示す図
【図３】従来の支持膜式ＳＯＦＣスタックの構成例を示す図
【図４】本発明の支持膜式ＳＯＦＣスタックの構成部材の例を示す図
【図５】図４で示す第１の短冊状合金箔板及び第２の短冊状合金箔板により支持膜式ＳＯＦＣスタックを構成する例を示す図
【図６】本発明の支持膜式ＳＯＦＣスタックの構成例を示す図（実施例１）
【図７】本発明の支持膜式ＳＯＦＣモジュールの構成例を示す図（実施例２）
【図８】本発明の支持膜式ＳＯＦＣモジュールの構成例を示す図（実施例３）
【符号の説明】
１  第１の短冊状合金箔板
２  第２の短冊状合金箔板
３  接合部
４  開口
５  空気極用の開口（窓）
６  開口
７  接合部
８  スペーサ
９  孔
１０  支持膜式ＳＯＦＣの単セル
１１  支持膜式ＳＯＦＣスタック
１２  絶縁体部材
１３  インターコネクタ
１４  開口
１５  波状の溝
１６  １枚の短冊状合金箔板
１７  折曲部
１８、２０  箔板部
１９  開口（燃料流通用開口）
２１  空気極用の開口（窓）
２２  開口（燃料流通用開口）
２３、２４  折曲部１７と相対する端部
【図１】
2004319291.tif 000003
【図２】
2004319291.tif 000004
【図３】
2004319291.tif 000005
【図４】
2004319291.tif 000006
【図５】
2004319291.tif 000007
【図６】
2004319291.tif 000008
【図７】
2004319291.tif 000009
【図８】
2004319291.tif 000010